(57)【要約】【課題】昇降可能な天板を備える什器において、配線やチューブを確実に保護する。【解決手段】天板昇降式什器１は、上面に作業面２１ｔを有する天板２１、および天板２１の後端部２１ｒに設けられた受け部材３０を備える上部構造体２０と、床面上に配置され、上部構造体２０を上下方向に昇降可能に支持する下部構造体１０と、を備え、受け部材３０は、天板２１の後端部２１ｒに対して天板２１の後方に離間して配設され、上下方向に延びるバックパネル３３と、天板２１の下方においてバックパネル３３から天板２１の内方に向かって延びるボトムパネル３４と、受け部材３０を上部構造体２０に対して固定するブラケット３２と、を備える。【選択図】図２
2017047164.tif 000002
【特許請求の範囲】
【請求項１】
上面に作業面を有する天板、および前記天板の外周端部の周方向の少なくとも一部に設けられた受け部材を備える上部構造体と、
床面上に配置され、前記上部構造体を上下方向に昇降可能に支持する下部構造体と、を備え、
前記受け部材は、
前記天板の外周端部に対して前記天板の外方に離間して配設され、上下方向に延びる第一片と、
前記天板の下方において前記第一片から前記天板の内方に向かって延びる第二片と、
前記受け部材を前記上部構造体に対して固定する支持部材と、
を備えることを特徴とする天板昇降式什器。
【請求項２】
前記支持部材は、一端部が前記天板に固定され、他端部が前記天板の外周端部から外方に向かって延び、前記第一片に連結されていることを特徴とする請求項１に記載の天板昇降式什器。
【請求項３】
前記受け部材が、前記天板で一方向に沿って連続する前記外周端部の全長にわたって設けられている請求項１または２に記載の天板昇降式什器。
【請求項４】
前記第一片は、前記天板の上面以下の高さに配置されていることを特徴とする請求項１から３のいずれか一項に記載の天板昇降式什器。
【請求項５】
天板の外周端部に装着される受け部材であって、
前記天板の前記外周端部に装着された状態で前記天板の外周端部に対して前記天板の外方に離間して配設され、上下方向に延びる第一片と、
前記第一片と一体に設けられ、前記天板の下方において前記第一片から前記天板の内方に向かって延びる第二片と、
前記第一片および前記第二片を前記天板に固定する支持部材と、
を備えることを特徴とする天板用受け部材。
【発明の詳細な説明】
【技術分野】
【０００１】
本発明は、デスク、テーブル、作業台、実験台等の天板昇降式什器、天板用受け部材に関する。
【背景技術】
【０００２】
オフィスや公共施設等においては、各種作業を行うことのできる天板を備えたデスク、テーブル、作業台、実験台等の天板付什器が用いられている。
このような天板付什器においては、使用者の姿勢、体格、性別、好み等によって、作業のしやすい天板の高さは個々に異なる。こうした状況においては、天板の高さが一定である天板付什器では対応することができないため、天板の高さを上下に変更可能とした天板昇降式什器が使用されている。このような天板昇降式什器においては、執務者の要望に応じた天板高さの作業エリアを提供することができるため、作業効率を向上させることができるとともに、執務者の体への負荷を軽減することができる。
【０００３】
この種の天板昇降式什器の天板の昇降機構としては、ガススプリングやギアを用いるもの、電動式駆動ユニットを用いるもの等が知られている（例えば、特許文献１〜５参照）。
【０００４】
ところで、天板の高さが調整可能である天板昇降式什器においては、天板上で使用される各種の機器に接続される各種配線や、流体を送るチューブ等は、天板の後方を通し、天板の下方へと導かれる。
【先行技術文献】
【特許文献】
【０００５】
【特許文献１】特許第３３７１９５９号公報
【特許文献２】特許第３３９１２８５号公報
【特許文献３】登録実用新案第３１６４７３９号公報
【特許文献４】特開２０１４−１１３５０５号公報
【特許文献５】特許第５７１８５０３号公報
【発明の概要】
【発明が解決しようとする課題】
【０００６】
しかしながら、天板昇降式什器において、例えば、天板を上昇させた状態で天板の後方にワゴンや他の什器等を配置すると、その後に天板を下降させたときに、配線や、内部に配線を収容したチューブ、天板上で使用する機器との間で液体や気体等を送るチューブ等が、天板とワゴンや他の什器等との間に挟まれてしまう。その結果、配線やチューブが潰れたり、損傷したりしてしまうことがある。
そこでなされた本発明の目的は、昇降可能な天板を備える什器において、配線やチューブを確実に保護することができる天板昇降式什器、天板用受け部材を提供することである。
【課題を解決するための手段】
【０００７】
本発明は、上記課題を解決するため、以下の手段を採用する。
この発明に係る天板昇降式什器は、上面に作業面を有する天板、および前記天板の外周端部の周方向の少なくとも一部に設けられた受け部材を備える上部構造体と、床面上に配置され、前記上部構造体を上下方向に昇降可能に支持する下部構造体と、を備え、前記受け部材は、前記天板の外周端部に対して前記天板の外方に離間して配設され、上下方向に延びる第一片と、前記天板の下方において前記第一片から前記天板の内方に向かって延びる第二片と、前記受け部材を前記上部構造体に対して固定する支持部材と、を備えることを特徴とする。
【０００８】
このような構成によれば、第一片と天板の外周端部との間に隙間が形成されるので、この隙間を通して、天板の上方で用いる機器等の配線やチューブを天板の下方に通すことができる。これにより、天板の上方空間と下方空間との間に配設される配線やチューブが、外方に向かって露呈するのを防ぐことができる。したがって、天板を下部構造体によって昇降させる際等においても、配線やチューブがワゴンや他の什器等にぶつかるのを防ぎ、配線やチューブが破損するのを抑えることができる。
また、天板の下方においては、配線やチューブは、天板の下方に位置する第二片と天板との間に収容されるので、配線やチューブが天板の下方空間に乱雑に露出するのを抑え、体裁を良好なものとすることができる。
【０００９】
また、この発明に係る天板昇降式什器は、上記天板昇降式什器において、前記支持部材は、一端部が前記天板に固定され、他端部が前記天板の外周端部から外方に向かって延び、前記第一片に連結されているようにしてもよい。
このような支持部材を介することで、受け部材を、簡易な構造でありながら確実に什器に取り付けることができる。
【００１０】
また、この発明に係る天板昇降式什器は、上記天板昇降式什器において、前記受け部材が、前記天板で一方向に沿って連続する前記外周端部の全長にわたって設けられているようにしてもよい。
このように構成することで、受け部材が設けられている領域であれば、天板上のいかなる位置であっても、配線やチューブを天板の外周端部と受け部材の第一片との隙間に通すことができ、使い勝手が高まる。
【００１１】
また、この発明に係る天板昇降式什器は、上記天板昇降式什器において、前記第一片は、前記天板の上面以下の高さに配置されているようにしてもよい。
これにより、受け部材が天板の上方に突出することがなく、天板上の作業面を広く使用することができる。
【００１２】
この発明に係る天板用受け部材は、天板の外周端部に装着される天板用受け部材であって、前記天板の前記外周端部に装着された状態で前記天板の外周端部に対して前記天板の外方に離間して配設され、上下方向に延びる第一片と、前記第一片と一体に設けられ、前記天板の下方において前記第一片から前記天板の内方に向かって延びる第二片と、前記第一片および前記第二片を前記天板に固定する支持部材と、を備えることを特徴とする。
【００１３】
このような構成によれば、天板用受け部材を天板の外周端部に設けることで、第一片と天板の外周端部との間に形成される隙間に配線やチューブを通すことができる。
また、天板の下方においては、配線やチューブは、天板の下方に位置する第二片と天板との間に収容されるので、配線やチューブが天板の下方空間に乱雑に露出するのを抑えることができる。
【発明の効果】
【００１４】
この発明に係る天板昇降式什器、天板用受け部材によれば、昇降可能な天板を備える什器において、配線やチューブを確実に保護することが可能となる。
【図面の簡単な説明】
【００１５】
【図１】この発明の第一実施形態に係る天板昇降式什器を斜め前方から見た斜視図である。
【図２】上記天板昇降式什器の側断面図である。
【図３】受け部材の天板への取付構造を示す側断面図である。
【図４】受け部材の天板への取付構造を示す図であり、図３のＸ−Ｘ矢視断面図である。
【図５】受け部材の天板への取付構造を示す斜視展開図である。
【図６】この発明の第二実施形態に係る天板昇降式什器を示す斜視図である。
【図７】上記天板昇降式什器の配線カバーの構成を示す斜視図である。
【図８】この発明の第三実施形態に係る天板昇降式什器を示す斜視図である。
【図９】この発明の第四実施形態に係る天板昇降式什器を示す斜視図である。
【図１０】上記天板昇降式什器の溝部の構成を示す側断面図である。
【図１１】図１０のＹ−Ｙ矢視断面図である。
【発明を実施するための形態】
【００１６】
以下、添付図面を参照して、本発明による天板昇降式什器、天板用受け部材を実施するための形態を説明する。しかし、本発明はこれらの実施形態のみに限定されるものではない。
（第一実施形態）
図１は、この発明の第一実施形態に係る天板昇降式什器を斜め前方から見た斜視図である。図２は、上記天板昇降式什器の側断面図である。図３は、天板への受け部材の取付構造を示す側断面図である。図４は、受け部材の天板への取付構造を示す図であり、図３のＸ−Ｘ矢視断面図である。図５は、受け部材の天板への取付構造を示す斜視展開図である。
図１、図２に示すように、天板昇降式什器１は、平面視長方形の板状で、上面に作業面２１ｔを有した天板２１を備える上部構造体２０と、床面Ｆ上に設置されて上部構造体２０を支持する下部構造体１０と、を備える。
【００１７】
下部構造体１０は、一対の脚部材１１，１１と、これら一対の脚部材１１，１１間を連結する連結部材１５（図２参照）と、を備える。
【００１８】
脚部材１１，１１は、天板２１の長辺方向（以下、この方向を幅方向と適宜称する。）に間隔をあけて配置されている。
各脚部材１１は、下部支持体１２と、上部支持体１３と、昇降ユニット１４と、を備えている。
【００１９】
図２に示すように、下部支持体１２は、床面Ｆ上に配置され、天板２１の短辺方向（以下、この方向を前後方向と適宜称する。）に延びる。下部支持体１２の下面１２ｕには、下部支持体１２の高さ及びレベルの調整を行うアジャスター１２ａが設けられている。
【００２０】
上部支持体１３は、天板２１の幅方向両側に設けられ、それぞれ前後方向に延びるよう、天板２１の下面２１ｕにボルト等で固定されている。
【００２１】
昇降ユニット１４は、上下方向に延び、下部支持体１２と上部支持体１３とを連結するように設けられている。昇降ユニット１４は、平断面寸法が互いに異なる複数の筒状体１４ａ，１４ｂ，１４ｃを備えている。昇降ユニット１４は、最も平断面寸法が大きな筒状体１４ａの内側に筒状体１４ｂが挿入され、筒状体１４ｂの内側に筒状体１４ｃが挿入されている。図示しない駆動機構によって、筒状体１４ａに対し、その内側に挿入された筒状体１４ｂ，１４ｃが上下方向に出没する。このようにして、昇降ユニット１４は上下方向に伸縮し、上部支持体１３を下部支持体１２に対して上下方向に昇降可能に支持する。
【００２２】
連結部材１５は、天板２１の下面２１ｕに沿って幅方向に延び、一対の脚部材１１，１１の上部支持体１３，１３を連結するように設けられている。この実施形態において、連結部材１５は、前後方向に間隔を空けて天板２１の前端部２１ｆ側と後端部（外周端部）２１ｒ側にそれぞれ設けられている。
【００２３】
上部構造体２０は、天板２１と、受け部材（天板用受け部材）３０と、を備えている。
天板２１は、脚部材１１，１１の上部支持体１３，１３、および連結部材１５の上面に支持されて設けられている。
【００２４】
図３に示すように、天板２１の下面２１ｕには、前後方向の中央部に、幅方向に沿って連続する配線トレー２５が設けられている。配線トレー２５は、配線やチューブ２００を支持するトレー部２５ａと、トレー部２５ａの端部から上方に向かって延び、天板２１の下面２１ｕにボルトや溶接、接着等によって接合される支持部２５ｂと、を有する。
【００２５】
図１に示すように、天板２１の前端部２１ｆの下面２１ｕには、昇降ユニット１４，１４の昇降動作を操作する操作部２２が設けられている。操作部２２は、操作部２２の操作入力に応じて昇降ユニット１４，１４の動作を制御する制御ユニット（図示無し）に、配線ケーブルを介して接続されている。制御ユニット（図示無し）は、例えば、天板２１の下面２１ｕや連結部材１５に固定されている。
利用者が操作部２２に対して所定の操作を入力すると、操作部２２から配線ケーブル（図示無し）を介し、制御ユニット（図示無し）に操作信号が送信される。制御ユニット（図示無し）は、操作部２２から操作信号を受信すると、受信した信号に基づいて昇降ユニット１４，１４に昇降動作を実行させる指令信号を出力する。昇降ユニット１４，１４は、指令信号を受け取ると、その指令信号に応じて伸縮駆動され、これによって天板２１の高さの調整がなされる。
【００２６】
図３に示すように、受け部材３０は、受け部材本体３１と、受け部材本体３１を天板２１に固定するブラケット（支持部材）３２と、を備える。
【００２７】
受け部材本体３１は、天板２１の後端部２１ｒの後方に間隔を空けて配置され、上下方向を向くバックパネル（第一片）３３と、天板２１の下面２１ｕの下方に位置し、バックパネル３３の下端部から前方に向かって延びるボトムパネル（第二片）３４と、を備える。受け部材本体３１は、バックパネル３３とボトムパネル３４とにより、幅方向から見たときの断面形状が略Ｌ字状をなし、金属板をＬ字状に折り曲げ加工したり、樹脂成形等によって形成することができる。このような受け部材本体３１は、天板２１の幅方向全体にわたって連続するよう設けられている。
【００２８】
図３、図４に示すように、バックパネル３３の前面３３ｆ側には、ブラケット３２を固定するためのベース部材３５が設けられている。ベース部材３５は、天板２１の幅方向に間隔を空けた複数箇所（例えば、本実施形態では２カ所）に配設されている。
【００２９】
ベース部材３５は、前面３３ｆに対して間隔を開けて平行に配置される板状部３５ａと、板状部３５ａの両端部から前面３３ｆに向かって延びる側壁部３５ｂ，３５ｂと、側壁部３５ｂ，３５ｂから前面３３ｆに沿う方向に延びる取付部３５ｃ，３５ｃとを一体に有したハット形状をなしている。このベース部材３５は、取付部３５ｃ，３５ｃが、バックパネル３３の前面３３ｆに例えば溶接によって接合されている。
【００３０】
図４に示すように、ベース部材３５の板状部３５ａには、取付ボルト４０の軸部４０ｓを挿通する挿通孔３５ｈが形成されている。板状部３５ａには、バックパネル３３側に、後述する取付ボルト４０を締結するナット部材３５ｎが溶接等により接合されている。
【００３１】
図３に示すように、ボトムパネル３４は、バックパネル３３から前方に向かって延び、その前縁部３４ｆが、天板２１の後端部２１ｒよりも前方に位置するよう形成されている。ボトムパネル３４の前縁部３４ｆには、上方に立ち上がる前壁部３４ｗが一体に形成されている。
【００３２】
ここで、ボトムパネル３４には、電源プラグや、その他の配線やチューブを接続するための接続具５０を設けたり、配線やチューブを上下に貫通させるための貫通孔やスリット（図示無し）を形成してもよい。また、この実施形態では、図２に示すように、ボトムパネル３４の上面に、電源プラグを接続するコンセントタップを接続具５０として設け、接続具５０に給電するためのケーブル保護チェーン５１を、ボトムパネル３４の下側に吊下している。ケーブル保護チェーン５１は、断面矩形の筒状で、複数のコマ部材がピンを介して幅方向の軸回りに回動自在に連結されたチェーン状部材である。ケーブル保護チェーン５１の内部には、接続具５０の電源ケーブル（不図示）等が挿通されている。ケーブル保護チェーン５１は、昇降ユニット１４の下端部に沿って設けられた筒状のガイド部材５２内を通し、床面Ｆ上へと導いている。
【００３３】
このような受け部材本体３１において、バックパネル３３、ボトムパネル３４は、それぞれ平板状としても良いし、複数の孔やスリット（いずれも図示無し）を形成してもよい。
【００３４】
図３に示すように、ブラケット３２は、例えば金属製で、天板２１の下面２１ｕに固定されるベース部３２ａと、ベース部３２ａの後端から下方に向かって延びる支持部３２ｂと、を有する。
【００３５】
ベース部３２ａは、前後方向に延び、その一端部３２ｃが、固定ボルト４２等によって天板２１の下面２１ｕに固定されている。図４、図５に示すように、ベース部３２ａの他端部３２ｄは、天板２１の後端部２１ｒから後方に向かって所定長突出するよう設けられる。
【００３６】
支持部３２ｂは、ベース部３２ａの他端部３２ｄから連続し、鉛直下方に向かって延びるよう形成されている。図４に示すように、支持部３２ｂには、取付ボルト４０を挿通させる挿通孔３２ｈが形成されている。
【００３７】
また、図３に示すように、ブラケット３２の支持部３２ｂには、上方に向かって延びる係止部３２ｋを設けることもできる。この係止部３２ｋに、受け部材本体３１のバックパネル３３の上端部に形成した折返し部３３ｔを係止させることができる。
【００３８】
このようなブラケット３２は、天板２１の幅方向に間隔を空けた複数箇所に、ベース部材３５と前後方向で対向する位置に設けられている。
【００３９】
受け部材本体３１は、バックパネル３３に設けられた各ベース部材３５の板状部３５ａを各ブラケット３２の支持部３２ｂに後方から押し当てた状態で、取付ボルト４０をナット部材３５ｎに締結することで、各ブラケット３２に連結する。
【００４０】
このようにして、ブラケット３２を介して天板２１の後端部２１ｒに受け部材本体３１を取り付けることで構成される受け部材３０においては、天板２１の後端部２１ｒと受け部材本体３１のバックパネル３３との間に、上下方向に連通する開口部１００が形成される。また、天板２１の下面２１ｕと受け部材本体３１のボトムパネル３４との間に、配線やチューブ等を収容する収容空間Ｓが形成される。
したがって、天板２１の作業面２１ｔ上で使用する各種の機器２０１等に接続される配線やチューブ２００は、開口部１００を通して、収容空間Ｓ内に挿通される。これら配線やチューブ２００は、収容空間Ｓ内で、受け部材３０のボトムパネル３４上に支持される。
【００４１】
受け部材３０上に支持された配線やチューブ２００は、ボトムパネル３４の前壁部３４ｗと天板２１の下面２１ｕとの隙間や、ボトムパネル３４に形成されて上下に貫通する貫通孔（図示無し）等を通し、床面Ｆ上に向かって配策することができる。
また、受け部材３０上に支持された配線やチューブ２００は、ボトムパネル３４の前壁部３４ｗと天板２１の下面２１ｕとの隙間を通し、天板２１の下面２１ｕの前後方向中央部に設けられた配線トレー２５内に配策するようにしてもよい。
さらに、受け部材３０や配線トレー２５内の配線やチューブ２００は、例えば脚部材１１に沿って上下方向に延びるよう設けられた配線収容部（図示無し）を通して床面Ｆ上まで配索することもできる。
【００４２】
ここで、バックパネル３３全体を、天板２１の上面である作業面２１ｔ以下の高さに配置し、バックパネル３３の上端部、つまり受け部材３０が天板２１の上方に突出しないようにするのが好ましい。
また、図１に示すように、受け部材本体３１のバックパネル３３は、脚部材１１の下部支持体１２の後端部１２ｒよりも後方にオーバーハングして位置するのが好ましい。このような構成とすると、受け部材３０を備えた天板昇降式什器１を、後方に位置する壁面や他の什器等に押し当てて配置する場合、下部支持体１２の後端部１２ｒは壁面や他の什器等に接することがなく、バックパネル３３が壁面や他の什器等に接し、壁面や他の什器等との間に隙間が生じるのを防ぐことができる。
【００４３】
上述したような天板昇降式什器１、受け部材３０によれば、天板２１の後端部２１ｒに受け部材３０を設けることで、バックパネル３３と天板２１の後端部２１ｒとの間に開口部１００が形成され、この開口部１００を通して、天板２１の上方で用いる機器２０１等の配線やチューブ２００を天板２１の下方に通すことができる。これにより、天板２１の上方空間と下方空間との間を連通するように配設される配線やチューブ２００が、外方に向かって露呈するのを防ぐことができる。したがって、天板２１を下部構造体１０によって昇降させる際等においても、配線やチューブ２００がワゴンや他の什器等にぶつかるのを防ぐことができる。その結果、配線やチューブ２００が破損するのを抑えることができ、配線やチューブ２００を確実に保護することが可能となる。
また、天板２１の下方においては、配線やチューブ２００は、天板２１の下方に位置するボトムパネル３４と天板２１との間の収容空間Ｓに収容されるので、配線やチューブ２００が天板２１の下方空間に乱雑に露出するのを抑え、体裁を良好なものとすることができる。
【００４４】
また、受け部材３０は、一端部３２ｃが天板２１に固定され、他端部３２ｄが天板２１の後端部２１ｒから外方に向かって延びるブラケット３２により支持されている。このようにして、受け部材３０を天板２１によって支持する簡易な構造でありながら、天板２１の後端部２１ｒの後方に開口部１００を形成する受け部材３０を、確実に取り付けることができる。
【００４５】
また、受け部材３０は、天板２１の後端部２１ｒの幅方向の全長にわたって設けられている。これにより、受け部材３０が設けられている後端部２１ｒであれば、天板２１上のいかなる位置であっても、配線やチューブ２００を天板２１の後端部２１ｒと受け部材３０のバックパネル３３との間の開口部１００に通すことができ、使い勝手が高まる。
【００４６】
さらに、バックパネル３３は、天板２１の上面以下の高さに配置されているので、受け部材３０が天板２１の上方に突出することがなく、天板２１上の作業面２１ｔを広く使用することができる。
【００４７】
（変形例）
なお、本実施形態の天板昇降式什器、天板用受け部材は、図面を参照して説明した上述の構成に限定されるものではなく、その技術的範囲において様々な変形例が考えられる。
例えば、図２、図３中に二点鎖線で示したように、開口部１００を塞ぐ蓋体８０を装着可能とするようにしてもよい。この場合、ブラケット３２は、蓋体８０の支持部材として機能する。さらに、蓋体８０を、天板２１と同等の厚さを有するようにすれば、蓋体８０の上面８０ｔと天板２１の作業面２１ｔとが連続し、作業空間を拡大することができる。
【００４８】
また、上記実施形態では、受け部材３０を、天板２１の後端部２１ｒに沿って天板２１の幅方向全体に連続するよう設けたが、後端部２１ｒの幅方向の一部のみに設けてもよい。さらには、受け部材３０を、天板２１の幅方向いずれか一方又は双方の側端部２１ｓに設けてもよい。
【００４９】
さらに、受け部材３０を支持するブラケット３２は、所要の機能を果たすことができるのであれば、その形状、構成、取付位置、設置数等について、適宜変更することが可能である。
【００５０】
加えて、天板昇降式什器１の下部構造体１０は、天板２１が昇降可能であれば、例えば、脚部材１１の構造、配置、設置本数等を、他のいかなる構成としても良い。
また、天板昇降式什器１は、その用途を限るものではなく、デスク装置の他、作業台、実験台、テーブル、カウンター等の用途のものであってもよい。
【００５１】
さらには、上記したような受け部材３０は、既設の天板付什器に後付けしたり、天板付什器のオプション部材として提供することもできる。
【００５２】
（第二実施形態）
次に、本発明の第二実施形態について、図６および図７を参照して説明する。
【００５３】
図６は、本実施形態に係る天板昇降式什器２を示す斜視図である。図７は、天板昇降式什器２の配線カバー８１の構成を示す斜視図である。図７（ａ）は、配線カバー８１が開いた状態を示し、図７（ｂ）は、配線カバー８１が閉じた状態を示している。
天板昇降式什器２は、上部構造体１２０が天板２１の後端部２１ｒと受け部材３０とにより構成される溝部の開口部を開閉可能に設けられた配線カバー８１をさらに備える点で、第一実施形態に係る天板昇降式什器１と異なっている。なお、第一実施形態に係る天板昇降式什器１と同様の構成を有する部分については同一の符号を付して示し、その詳細な説明を省略する。
【００５４】
上部構造体１２０は、天板２１の後端部２１ｒに設けられ、天板２１の作業面２１ｔに対して凹むように形成された溝部６０を備える。本実施形態では、上述した天板２１および受け部材３０により溝部６０が構成されている。すなわち、溝部６０は、天板２１の後端部２１ｒと、受け部材本体３１のバックパネル（第一部材）３３と、受け部材本体３１のボトムパネル（第二部材）３４と、により構成されている。バックパネル３３およびボトムパネル３４は、ブラケット（支持部材）３２により天板２１に固定されている。また、溝部６０は、天板２１の後端部２１ｒの幅方向の全長に渡って設けられている。第一実施形態において説明したように、溝部６０には、天板２１の後端部２１ｒとバックパネル３３との間に開口部１００が形成されている。
【００５５】
図６および図７に示すように、配線カバー（蓋体）８１は、溝部６０の開口部１００を開閉可能に溝部６０に設けられている。配線カバー８１は、開口部１００を覆うように天板２１の後端部２１ｒの幅方向の全長に渡って設けられている。なお、図７では説明を容易にするため、ブラケット３２や、受け部材本体３１の幅方向の両端部に設けられたサイドパネル３６など一部の構成の図示を省略している。配線カバー８１は、天板２１の作業面２１ｔに連続するように設けられたカバー本体８２と、カバー本体８２の前端部８２ｆに設けられた縁部材８３と、を有する。
【００５６】
カバー本体８２は、縁部材８３が取り付けられる前端部８２ｆと、Ｌ字状に折り曲げられて形成された後端部８２ｒと、後端部８２ｒに固定された回転支持部８２ａと、を有する。前端部８２ｆは、縁部材８３が取り付けられた状態において縁部材８３の上面が作業面２１ｔに対して連続するように、段状に形成されている。後端部８２ｒには、バックパネル３３と対向する面の反対側の面に回転支持部８２ａが固定されている。回転支持部８２ａは、支持体９０の支持軸９０ｄを中心として回動可能に支持軸９０ｄに係合している。本実施形態では、回転支持部８２ａは、カバー本体８２の幅方向の両端部近傍にそれぞれ設けられている。カバー本体８２の材質として、金属材や樹脂等を用いることができる。
【００５７】
縁部材８３は、カバー本体８２の前端部８２ｆを覆うように取り付けられている。また、縁部材８３は、配線カバー８１が閉じた状態において天板２１の後端部２１ｒとの間に配線やチューブ２００を挿通可能な隙間を形成するように設けられている。縁部材８３は、ゴム等の柔軟で弾性変形可能な材料で形成されている。
【００５８】
配線カバー８１は、バックパネル３３に設けられた支持体９０に回動可能に支持されている。本実施形態では、支持体９０は、カバー本体８２の回転支持部８２ａに対応して、バックパネル３３の幅方向の両端部近傍にそれぞれ設けられている。支持体９０は、下部支持部９０ａと、上部支持部９０ｂと、軸保持部９０ｃと、支持軸９０ｄと、を有する。
【００５９】
下部支持部９０ａは、上下方向に延びる板状に形成されている。下部支持部９０ａは、バックパネル３３の前面３３ｆに当接しており、上下方向に離間して配置されたビス９１によりバックパネル３３に固定されている。上部支持部９０ｂは、下部支持部９０ａの上端部からバックパネル３３から離間するように上方に延びて形成されている。軸保持部９０ｃは、上部支持部９０ｂの上端部に設けられ、幅方向に貫通する孔部を有する円筒状に形成されている。支持軸９０ｄは、幅方向に沿う軸線を中心軸とした円柱状に形成され、軸保持部９０ｃの孔部に回転可能に挿通されて保持されている。
【００６０】
配線カバー８１は、回転支持部８２ａが軸保持部９０ｃの孔部の両側から突出する支持軸９０ｄと係合することで、支持軸９０ｄを中心として回動可能に支持体９０に支持されている。このため、支持軸９０ｄを中心として配線カバー８１の縁部材８３側を上方に跳ね上げるように回動させることで、配線カバー８１を開くことができる。また、配線カバー８１が開いた状態から、支持軸９０ｄを中心として配線カバー８１の縁部材８３側を下方に回動させることで、配線カバー８１を閉じることができる。
【００６１】
上述のように構成された本実施形態に係る天板昇降式什器２は、第一実施形態に係る天板昇降式什器１と同様の効果を得ることができる。
【００６２】
また、本実施形態に係る天板昇降式什器２は、上面に作業面２１ｔを有する天板２１を備える上部構造体１２０と、床面Ｆ上に配置され、上部構造体１２０を上下方向に昇降可能に支持する下部構造体１０と、を備える。上部構造体１２０は、天板２１の後端部２１ｒに設けられ、天板２１の作業面２１ｔに対して凹むように形成された溝部６０と、溝部６０の開口部１００を開閉可能に溝部６０に設けられた配線カバー８１と、をさらに備える。
上述の構成によれば、天板２１の上方で用いられる機器２０１等の配線やチューブ２００を、開口部１００を通して溝部６０内に配置することができる。よって、天板２１を下部構造体１０によって昇降させる際等に、配線やチューブ２００が対向する壁面や他の什器等に接触し、破損することを防止できる。また、配線カバー８１を閉じることで溝部６０が配線カバー８１で覆われるため、什器としての外観の体裁を良好にすることができるとともに、天板２１上の作業空間を拡大することができる。加えて、溝部６０に誤って物を落とすこと等を防止することができる。
【００６３】
また、上部構造体１２０は、ブラケット３２をさらに備える。溝部６０は、天板２１の後端部２１ｒと、後端部２１ｒに対して天板２１の外方に離間して配設され、上下方向に延びるバックパネル３３と、天板２１の下方においてバックパネル３３から天板２１の内方に向かって延びるボトムパネル３４と、により構成されている。ブラケット３２は、バックパネル３３およびボトムパネル３４を天板２１に固定している。
上述の構成によれば、簡易な構成で上部構造体１２０に溝部６０を設けることができる。
【００６４】
なお、本実施形態では、溝部６０は、天板２１の後端部２１ｒの幅方向の全長に渡って設けられているとしたが、後端部２１ｒの幅方向の一部のみに設けられてもよい。また、溝部６０は、天板２１の幅方向いずれか一方又は双方の側端部２１ｓに設けられてもよい。
【００６５】
また、縁部材８３は、配線カバー８１が閉じた状態において天板２１の後端部２１ｒとの間に配線やチューブ２００を挿通可能な隙間を形成するように設けられているとしたが、この隙間が形成されていなくてもよい。この場合、縁部材８３が配線やチューブ２００の形状に応じて適宜弾性変形することで、配線やチューブ２００を溝部６０内へ案内するようにしてもよい。
【００６６】
（第三実施形態）
次に、本発明の第三実施形態について、図８を参照して説明する。
【００６７】
図８は、本実施形態に係る天板昇降式什器３を示す斜視図である。
天板昇降式什器３は、下部構造体１０に代えて下部構造体１１０を備えており、また二つの上部構造体１２０Ａ，１２０Ｂを備える点で、第二実施形態に係る天板昇降式什器２と異なっている。なお、上述した実施形態に係る天板昇降式什器と同様の構成を有する部分については同一の符号を付して示し、その詳細な説明を省略する。
【００６８】
下部構造体１１０は、一対の脚部材１１，１１に代えて、一対の脚部材１１１Ａ，１１１Ａおよび一対の脚部材１１１Ｂ，１１１Ｂを備える。一対の脚部材１１１Ａ，１１１Ａのうちの一方と一対の脚部材１１１Ｂ，１１１Ｂのうちの一方とは、前後方向に並べて配置され、共通の下部支持体１１２により連結されている。同様に、一対の脚部材１１１Ａ，１１１Ａのうちの他方と一対の脚部材１１１Ｂ，１１１Ｂのうちの他方とは、前後方向に並べて配置され、共通の下部支持体１１２により連結されている。下部支持体１１２の下面には、下部支持体１２と同様に、アジャスター１２ａが設けられている。各脚部材１１１Ａ，１１１Ｂにおけるその他の構成は、脚部材１１と同様である。
【００６９】
上部構造体１２０Ａは、下部構造体１１０において一対の脚部材１１１Ａ，１１１Ａに支持されている。上部構造体１２０Ｂは、下部構造体１１０において一対の脚部材１１１Ｂ，１１１Ｂに支持されている。上部構造体１２０Ａ，１２０Ｂはそれぞれ、第二実施形態に係る上部構造体１２０と同様の構成を有する。上部構造体１２０Ａの天板２１と上部構造体１２０Ｂの天板２１とは、それぞれの後端部２１ｒ，２１ｒが互いに対向するように配置されている。また、上部構造体１２０Ａと上部構造体１２０Ｂとは、それぞれのバックパネル３３，３３の間に隙間が形成されるように配置されている。
【００７０】
一対の脚部材１１１Ａ，１１１Ａの昇降ユニット１４，１４は、一対の脚部材１１１Ｂ，１１１Ｂの昇降ユニット１４，１４と独立して昇降動作を行うことが可能である。すなわち、上部構造体１２０Ａの天板２１は、上部構造体１２０Ｂの天板２１とは独立して昇降させることができる。
【００７１】
上述のように構成された本実施形態に係る天板昇降式什器３においても、上部構造体１２０Ａ，１２０Ｂのそれぞれに対して、第二実施形態に係る天板昇降式什器２と同様の効果を得ることができる。
【００７２】
なお、本実施形態では、一対の脚部材１１１Ａ，１１１Ａの昇降ユニット１４，１４は、一対の脚部材１１１Ｂ，１１１Ｂの昇降ユニット１４，１４と独立して昇降動作を行うことが可能であるとしたが、互いに連動して昇降動作を行うようにしてもよい。
【００７３】
また、本実施形態では、二つの上部構造体１２０Ａ，１２０Ｂ、すなわち二つの天板２１，２１を備えていたが、さらに複数の上部構造体を備えるように構成されてもよい。この場合、上部構造体の数に応じて、昇降ユニットの数等の下部構造体の構成を適宜変更してもよい。
【００７４】
（第四実施形態）
次に、本発明の第四実施形態について、図９から図１１を参照して説明する。
【００７５】
図９は、本実施形態に係る天板昇降式什器４を示す斜視図である。図１０は、天板昇降式什器４の溝部の構成を示す側断面図である。図１１は、図１０のＹ−Ｙ矢視断面図である。
天板昇降式什器４は、第三実施形態に係る天板昇降式什器３の上部構造体１２０Ａ，１２０Ｂに代えて、上部構造体２２０を備える。なお、上述した実施形態に係る天板昇降式什器と同様の構成を有する部分については同一の符号を付して示し、その詳細な説明を省略する。
【００７６】
上部構造体２２０は、第一天板（天板）２１Ａと第二天板（天板）２１Ｂとを備える。第一天板２１Ａおよび第二天板２１Ｂはそれぞれ、上述した実施形態に係る天板２１と同様の構成を有する。第一天板２１Ａは、下部構造体１１０において一対の脚部材１１１Ａ，１１１Ａに支持されている。第二天板２１Ｂは、下部構造体１１０において一対の脚部材１１１Ｂ，１１１Ｂに支持されている。また、第一天板２１Ａと第二天板２１Ｂとは、前後方向に並べられ、それぞれの後端部２１ｒ，２１ｒが互いに対向するように配置されている。
【００７７】
第一天板２１Ａを支持する一対の脚部材１１１Ａ，１１１Ａの昇降ユニット１４，１４と第二天板２１Ｂを支持する一対の脚部材１１１Ｂ，１１１Ｂの昇降ユニット１４，１４とは、連動して同一の昇降動作を行うように制御されている。このため、上部構造体１２０において、第一天板２１Ａと第二天板２１Ｂとは、それぞれの作業面２１ｔ，２１ｔの高さが互いに等しい状態を維持したまま昇降する。
【００７８】
上部構造体２２０は、第一天板２１Ａの後端部２１ｒに設けられ、第一天板２１Ａの作業面２１ｔに対して凹むように形成された第一溝部（溝部）６１Ａと、第一溝部６１Ａの開口部１０１Ａを開閉可能に第一溝部６１Ａに設けられた第一配線カバー（蓋体）８１Ａと、を備える。また、上部構造体２２０は、第二天板２１Ｂの後端部２１ｒに設けられ、第二天板２１Ｂの作業面２１ｔに対して凹むように形成された第二溝部（溝部）６１Ｂと、第二溝部６１Ｂの開口部１０１Ｂを開閉可能に第二溝部６１Ｂに設けられた第二配線カバー（蓋体）８１Ｂと、を備える。第一溝部６１Ａおよび第二溝部６１Ｂは、第一天板２１Ａの後端部２１ｒおよび第二天板２１Ｂの後端部２１ｒと受け部材１３０とにより構成されている。
【００７９】
受け部材１３０は、第一天板２１Ａと第二天板２１Ｂとの間に設けられている。受け部材１３０は、受け部材本体（第二片、第二部材）１３１と、受け部材本体１３１を第一天板２１Ａおよび第二天板２１Ｂに固定するサイドパネル（支持部材）１３２と、を有する。
【００８０】
受け部材本体１３１は、第一天板２１Ａの下面２１ｕの下方に位置する第一端部１３１ａと、第二天板２１Ｂの下面２１ｕの下方に位置する第二端部１３１ｂと、を有し、第一端部１３１ａから第二端部１３１ｂに向かって前後方向に延びて形成されている。第一端部１３１ａおよび第二端部１３１ｂは、それぞれ上方に立ち上がるように湾曲して形成されている。また、受け部材本体１３１は、第一天板２１Ａの後端部２１ｒおよび第二天板２１Ｂの後端部２１ｒに沿って第一天板２１Ａおよび第二天板２１Ｂの幅方向全体に渡って連続するように設けられている。
【００８１】
サイドパネル１３２は、受け部材本体１３１の幅方向の両端部に設けられている。サイドパネル１３２は、受け部材本体１３１から上方に延びて、受け部材本体１３１と第一天板２１Ａおよび第二天板２１Ｂとの間を覆うように形成されている。
【００８２】
サイドパネル１３２の上部において前後方向の両側には、第一天板２１Ａの下面２１ｕと当接する第一当接部１３２ａと第二天板２１Ｂの下面２１ｕと当接する第二当接部１３２ｂとがそれぞれ設けられている。第一当接部１３２ａおよび第二当接部１３２ｂは、それぞれサイドパネル１３２を第一天板２１Ａおよび第二天板２１Ｂの内方に向かってＬ字状に折り曲げられて形成されている。また、第一当接部１３２ａおよび第二当接部１３２ｂには、ビス１３４を通すための貫通孔（不図示）がそれぞれ形成されている。第一当接部１３２ａは、ビス１３４により第一天板２１Ａに固定されており、第二当接部１３２ｂは、ビス１３４により第二天板２１Ｂに固定されている。
【００８３】
サイドパネル１３２の上部において第一当接部１３２ａと第二当接部１３２ｂとの間の部分は、第一天板２１Ａの作業面２１ｔおよび第二天板２１Ｂの作業面２１ｔの位置まで延びている。なお、サイドパネル１３２の当該部分には、後述するレール部材９３の形状に応じた切り欠き部が設けられていてもよい。
【００８４】
受け部材１３０の材質として、金属材や樹脂等を用いることができる。受け部材本体１３１とサイドパネル１３２とは、例えば金属板をＬ字状に折り曲げ加工すること等により一体として形成されていてもよい。
【００８５】
第一天板２１Ａと第二天板２１Ｂとの間において受け部材本体１３１の上面には、レール部材（第一片、第一部材）９３と第一配線カバー８１Ａと第二配線カバー８１Ｂとをそれぞれ支持する支持体（第一片、第一部材）９２が設けられている。本実施形態では、支持体９２は、受け部材本体１３１の幅方向の両端部近傍にそれぞれ設けられている。支持体９２は、下部支持部９２ａと、一対の上部支持部９２ｂ，９２ｂと、一対の軸保持部９２ｃ，９２ｃと、一対の支持軸９２ｄ，９２ｄと、支持基部９２ｅと、を有する。
【００８６】
下部支持部９２ａは、上下方向に延びる柱状に形成されている。一対の上部支持部９２ｂ，９２ｂは、下部支持部９２ａの上端部から互いに離間するように上方に延びて形成されている。一対の軸保持部９２ｃ，９２ｃは、それぞれ一対の上部支持部９２ｂ，９２ｂの上端部に設けられ、それぞれ一対の支持軸９２ｄ，９２ｄを保持している。一対の軸保持部９２ｃ，９２ｃおよび一対の支持軸９２ｄ，９２ｄは、それぞれ上述した支持体９０の軸保持部９０ｃおよび支持軸９０ｄと同様の構成を有する。支持基部９２ｅは、下部支持部９２ａの下端部に設けられている。支持基部９２ｅは、受け部材本体１３１の上面上に配置され、前後方向に延びて形成されている。支持基部９２ｅは、前後方向に離間して配置されたビス（不図示）により受け部材本体１３１に固定されている。また、下部支持部９２ａは、支持基部９２ｅの前後方向の中間部位に配置されている。
【００８７】
下部支持部９２ａの上端部には、一対の上部支持部９２ｂ，９２ｂの間にレール部材９３が固定されている。レール部材９３は、幅方向から見て略Ｕ字状の断面を有し、受け部材本体１３１の幅方向全体に渡って延びて形成されている。レール部材９３は、幅方向に離間して配置された二つの支持体９２によって支持されている。レール部材９３は、アルミニウムを押し出し成形すること等により形成されている。レール部材９３は、各種オプション部材を取り付けるために用いることができる。
【００８８】
上述した構成によって、第一溝部６１Ａは、第一天板２１Ａの後端部２１ｒと、後端部２１ｒに対して第一天板２１Ａの外方に離間して配設され、上下方向に延びるレール部材９３および支持体９２と、第一天板２１Ａの下方においてレール部材９３および支持体９２から第一天板２１Ａの内方に向かって延びる受け部材本体１３１と、により構成されている。第一天板２１Ａの後端部２１ｒとレール部材９３との間には、上下方向に連通する開口部１０１Ａが形成されている。また、第二溝部６１Ｂは、第二天板２１Ｂの後端部２１ｒと、後端部２１ｒに対して第二天板２１Ｂの外方に離間して配設され、上下方向に延びるレール部材９３および支持体９２と、第二天板２１Ｂの下方においてレール部材９３および支持体９２から第二天板２１Ｂの内方に向かって延びる受け部材本体１３１と、により構成されている。第二天板２１Ｂの後端部２１ｒとレール部材９３との間には、上下方向に連通する開口部１０１Ｂが形成されている。サイドパネル１３２は、レール部材９３、支持体９２、および受け部材本体１３１を第一天板２１Ａおよび第二天板２１Ｂ、すなわち上部構造体２２０に対して固定している。
【００８９】
第一配線カバー８１Ａおよび第二配線カバー８１Ｂは、上述した配線カバー８１と同様の構成を有する。第一配線カバー８１Ａの回転支持部８２ａは、支持体９２において第一天板２１Ａ側の支持軸９２ｄと回動可能に係合し、第二配線カバー８１Ｂの回転支持部８２ａは、支持体９２において第二天板２１Ｂ側の支持軸９２ｄと回動可能に係合している。これにより、第一配線カバー８１Ａは、第一溝部６１Ａの開口部１０１を開閉することができ、第二配線カバー８１Ｂは、第二溝部６１Ｂの開口部１０１を開閉することができる。
【００９０】
上述した構成により、例えば、第一天板２１Ａ上で用いられる機器２０１の配線やチューブ２００を、開口部１０１Ａを通して第一溝部６１Ａ内の収容空間ＳＡに配置し、第二天板２１Ｂ上で用いられる機器２０１の配線やチューブ２００を、開口部１０１Ｂを通して第二溝部６１Ｂ内の収容空間ＳＢに配置することができる。
【００９１】
上述のように構成された本実施形態に係る天板昇降式什器４においても、上部構造体２２０の第一天板２１Ａおよび第二天板２１Ｂのそれぞれに対して、第二実施形態に係る天板昇降式什器２と同様の効果を得ることができる。
【００９２】
なお、本実施形態では、第一溝部６１Ａは、第一天板２１Ａの後端部２１ｒの幅方向の全長に渡って設けられ、第二溝部６１Ｂは、第二天板２１Ｂの後端部２１ｒの幅方向の全長に渡って設けられている。しかしながら、第一溝部６１Ａは、第一天板２１Ａの後端部２１ｒの幅方向の一部のみに設けられてもよく、第二溝部６１Ｂは、第二天板２１Ｂの後端部２１ｒの幅方向の一部のみに設けられてもよい。
【００９３】
以上、本発明の好ましい実施形態を説明したが、本発明はこれら実施形態に限定されることはない。本発明の趣旨を逸脱しない範囲で、構成の付加、省略、置換、およびその他の変更が可能である。
【符号の説明】
【００９４】
１、２、３、４  天板昇降式什器
１０、１１０  下部構造体
２０、１２０、１２０Ａ、１２０Ｂ、２２０  上部構造体
２１  天板
２１Ａ  第一天板（天板）
２１Ｂ  第二天板（天板）
２１ｒ  後端部（外周端部）
２１ｔ  作業面
３０  受け部材（天板用受け部材）
３１  受け部材本体
３２  ブラケット（支持部材）
３２ｃ  一端部
３２ｄ  他端部
３３  バックパネル（第一片、第一部材）
３４  ボトムパネル（第二片、第二部材）
６０  溝部
６１Ａ  第一溝部（溝部）
６１Ｂ  第二溝部（溝部）
８１  配線カバー（蓋体）
８１Ａ  第一配線カバー（蓋体）
８１Ｂ  第二配線カバー（蓋体）
９２  支持体（第一片、第一部材）
９３  レール部材（第一片、第一部材）
１００、１０１、１０１Ａ、１０１Ｂ  開口部
１３０  受け部材
１３１  受け部材本体（第二片、第二部材）
１３２  サイドパネル（支持部材）
２００  配線やチューブ
Ｆ  床面
【図１】
2017047164.tif 000003
【図２】
2017047164.tif 000004
【図３】
2017047164.tif 000005
【図４】
2017047164.tif 000006
【図５】
2017047164.tif 000007
【図６】
2017047164.tif 000008
【図７】
2017047164.tif 000009
【図８】
2017047164.tif 000010
【図９】
2017047164.tif 000011
【図１０】
2017047164.tif 000012
【図１１】
2017047164.tif 000013